(57)【特許請求の範囲】
【請求項１】
基材紙に薬液を含有させてなる家庭用薄葉紙であって、
前記薬液は、有効成分を６０〜１００重量％含み、かつ有効成分中に柔軟剤を３．０〜４．５重量％および保湿剤を９５．５〜９７．０重量％含むものであり、
前記柔軟剤はアニオン系界面活性剤、カチオン系界面活性剤及び両性イオン界面活性剤のなかから選択されたものであり、
前記薬液のｐＨは５．０〜６．０であり、
前記薬液を基材紙の単位容積当たり４６．０〜１６０．０ｍｇ／ｃｍ３含有させることによって、水分率を９．５０〜１５．００％とし、かつ吸油度を７ｍｍ以下としたことを特徴とする家庭用薄葉紙。
【請求項２】
前記保湿剤として、グリセリン、プロピレングリコール等の多価アルコール、ソルビトール、グルコース等の糖類、グリコール系溶剤およびその誘導体のうちの少なくとも１種を用いてなる、請求項１記載の家庭用薄葉紙。
【請求項３】
前記薬液として、ビタミンＣおよびビタミンＥのうちの少なくとも一方の抗酸化剤を含むものを用いてなる、請求項１または２記載の家庭用薄葉紙。
【請求項４】
前記薬液として、コラーゲンを含むものを用いてなる、請求項１〜３のいずれか１項に記載の家庭用薄葉紙。
【請求項５】
１プライ当たりの米坪が１０〜３５ｇ／ｍ２とされ、かつ１〜３プライで構成されるとともに、乾燥時の縦方向の引張強さが６０〜１６０Ｎ／ｍでありかつ乾燥時の横方向の引張強さが２０〜６０Ｎ／ｍであり、かつこれら乾燥時の引張強さの縦横比が１．５：１．０〜５．０：１．０であるものを用いた、請求項１〜４のいずれか１項に記載の家庭用薄葉紙。
【請求項６】
前記基材紙のパルプ原料におけるＮＢＫＰ配合率が３０．０〜８０．０％とされた、請求項１〜５のいずれか１項に記載の家庭用薄葉紙。
【発明の詳細な説明】
【０００１】
【発明の属する技術分野】
本発明はティシュペーパー等の家庭用薄葉紙に関する。
【０００２】
【従来の技術】
近時、柔軟剤等の薬液を含有させることにより肌触りを柔らかくした、いわゆる高級タイプのティシュペーパーが市販され、繰り返し鼻をかんでも肌がヒリヒリし難い、または鼻が赤くなり難いとして人気を呼んでいる。
【０００３】
【発明が解決しようとする課題】
しかしながら、従来の薬液含有家庭用薄葉紙では、肌のヒリヒリ感や肌が赤くなるのを防止する効果が十分でなかった。
【０００４】
すなわち、本発明者らが鋭意研究したところ、従来の薬液含有家庭用薄葉紙は、肌の角質層表面と接触すると当該表面の皮脂を取り去る作用がある。よって、かかる薄葉紙を肌の同一部分に対し頻繁に接触させると、薄葉紙により先ず皮脂が取り去られ、次いで皮脂の無くなったところから角質層内の水分が取り去られる。その結果、肌が荒れてしまい赤くなってしまうのである。
【０００５】
したがって、本発明の主たる課題は、しっとり感、柔らかさ等の肌触り性に優れるとともに、頻繁に肌と接触させても肌がヒリヒリし難い、肌が赤くなり難い家庭用薄葉紙を提供することにある。
【０００６】
【課題を解決するための手段】
＜請求項１記載の発明＞
基材紙に薬液を含有させてなる家庭用薄葉紙であって、
前記薬液は、有効成分を６０〜１００重量％含み、かつ有効成分中に柔軟剤を３．０〜４．５重量％および保湿剤を９５．５〜９７．０重量％含むものであり、
前記柔軟剤はアニオン系界面活性剤、カチオン系界面活性剤及び両性イオン界面活性剤のなかから選択されたものであり、
前記薬液のｐＨは５．０〜６．０であり、
前記薬液を基材紙の単位容積当たり４６．０〜１６０．０ｍｇ／ｃｍ３含有させることによって、水分率を９．５０〜１５．００％とし、かつ吸油度を７ｍｍ以下としたことを特徴とする家庭用薄葉紙。
【０００７】
（作用効果）
このように薬液のｐＨを健全な肌と同じ弱酸性とすることで、肌に対して接触させても肌がアルカリ性または強酸性になることがなく、薬液ｐＨの影響による肌荒れを効果的に防止できる。また、かかる薬液を用いることにより、柔らか感に優れた薄葉紙とすることができる。
従来の薬液塗布タイプの家庭用薄葉紙は吸油性が高すぎ、図１（ａ）に示すように、薄葉紙と肌とを頻繁に接触させると薄葉紙によって角質層表面の皮脂及び角質層内の水分がこの順に奪われ、その結果、肌が荒れてしまい赤くなってしまう。
しかるに本発明に従って吸油度を７．０ｍｍ以下とすると、図１（ｂ）に示すように、薄葉紙が角質層表面の皮脂を奪い難くなり、これによって角質層内の水分が保護される。その結果肌が荒れたり赤くなったりし難くなる。また、かかる水分率の薄葉紙は、肌との接触にあたり角質層表面の皮脂が少なくても角質層内の水分を奪い難い。よって頻繁に肌に接触させても肌が荒れたり赤くなったりしにくい。なお、薬液含有量が１６０．０ｍｇ／ｃｍ３を超えるとべとつき感のある薄葉紙となり、使用者に不快感を与えてしまう。
なお、本発明にいう吸油度とは、吸油度はＪＩＳ Ｐ８１４１で規定するクレム吸水度試験に準じて、水を市販のサラダ油（日清製油株式会社製）に置き換えて、ＪＩＳ Ｐ８１１１で規定する標準条件下で測定するものである。ただし、測定時間は６０秒、紙の流れは縦方向（製造ラインにおける流れ方向）とする。すなわち、試験片の寸法を縦方向に６０秒、紙の下端をサラダ油に浸漬し、６０秒後に上昇するサラダ油が上昇した高さを測定し、試験片１０点の平均値とするものである。また、本発明にいう水分率とは、ＪＩＳ  Ｐ８１１１で規定する条件で調湿し、ＪＩＳ  Ｐ８１２７で測定した水分率を意味する。
【０００８】
＜請求項２記載の発明＞
前記保湿剤として、グリセリン、プロピレングリコール等の多価アルコール、ソルビトール、グルコース等の糖類、グリコール系溶剤およびその誘導体のうちの少なくとも１種を用いてなる、請求項１記載の家庭用薄葉紙。
【０００９】
（作用効果）
かかる薬液を用いることにより、潤い豊かなしっとり感に優れた薄葉紙とすることができる。
【００１０】
＜請求項３記載の発明＞
前記薬液として、ビタミンＣおよびビタミンＥのうちの少なくとも一方の抗酸化剤を含むものを用いてなる、請求項１または２記載の家庭用薄葉紙。
【００１１】
（作用効果）
本発明の薬液に用いる抗酸化剤としてはビタミンＣ、ビタミンＥを好適に用いることができる。ビタミンＥは還元力の強い成分で、活性酸素・フリーラジカルを消去したり過酸化脂質の発生を防ぐ抗酸化作用がある。よってビタミンＥは薬液の安定化剤として機能するとともに、薄葉紙を使用した者の肌に付与されると当該肌の皮脂の酸化防止効果および血行促進効果が発揮される。また保湿機能も有る。
一方、ビタミンＣはビタミンＥと同じく皮脂の抗酸化作用がある。またビタミンＣはビタミンＥを還元する作用があるため、ビタミンＣ，Ｅの両方を用いると、ビタミンＣがビタミンＥの助剤として働き、活性酸素などにより酸化されたビタミンＥを還元し、ビタミンＥの強力な皮脂の抗酸化作用を維持する作用が奏せられる。
【００１２】
＜請求項４記載の発明＞
前記薬液として、コラーゲンを含むものを用いてなる、請求項１〜３のいずれか１項に記載の家庭用薄葉紙。
【００１３】
（作用効果）
コラーゲンは肌の真皮の９０％を形成しており、これが減少すると肌に潤いや張りがなくなる。よって、薄葉紙に含有させておくことによって、これが肌と接触したときに肌に潤いを与える保湿効果を発揮するとともに、薄葉紙に対しても保湿効果を発揮する。
【００１４】
＜請求項５記載の発明＞
１プライ当たりの米坪が１０〜３５ｇ／ｍ２とされ、かつ１〜３プライで構成されるとともに、乾燥時の縦方向の引張強さが６０〜１６０Ｎ／ｍとされかつ乾燥時の横方向の引張強さが２０〜６０Ｎ／ｍとされ、かつこれら乾燥時の引張強さの縦横比が１．５：１．０〜５．０：１．０とされた、請求項１〜４のいずれか１項に記載の家庭用薄葉紙。
なお、本発明にいう引張強さとは、JIS P 8116に規定される引張り強さ試験法による引張強さをいう。
【００１５】
（作用効果）
一般に家庭用薄葉紙においては、単に柔らかくすると紙自体の強度も低下する。したがって本請求項５記載の範囲に引張強さを維持するのが好ましい。
【００１６】
＜請求項６記載の発明＞
前記基材紙のパルプ原料におけるＮＢＫＰ配合率が３０．０〜８０．０％とされた、請求項１〜５のいずれか１項に記載の家庭用薄葉紙。
【００１７】
（作用効果）
本発明はかかる家庭用薄葉紙に特に好適である。
【００１８】
【発明の実施の形態】
以下、本発明の実施の形態について詳説する。
前述のとおり本発明の家庭用薄葉紙は、薬液として、アニオン系界面活性剤、カチオン系界面活性剤及び両性イオン界面活性剤の少なくとも一種からなり非イオン界面活性剤を含まない柔軟剤を含み、かつｐＨ５．０〜６．０の弱酸性に調整したものを用いることにより製造することができる。
【００１９】
吸油度は通常の場合で１．０〜７．０ｍｍとするのが好ましく、特に４．０〜６．５とするのが好ましい。このために、保湿剤を９５．５〜９７．０重量％含む薬液を、基材紙の単位容積当たりの薬液含有量が４６．０〜１６０．０ｍｇ／ｃｍ３、特に４８．０〜６０．０ｍｇ／ｃｍ３となるように、薬液を基材紙に対し塗布（他の薬液付与方法を採ることもできる）し、水分率を９．５０〜１５．００％とすることができる。
【００２０】
このように吸油度を十分に低くすることによって、薄葉紙が角質層表面の皮脂を奪い難くなり、皮脂により角質層内の水分が保護される結果、肌が荒れたり赤くなったりし難くなる。なお、薬液含有量が１６０．０ｍｇ／ｃｍ３を超えるとべとつき感のある薄葉紙となり、使用者に不快感を与えてしまう。
【００２１】
基材紙としては、公知のものを問題なく使用することができるが、特にパルプ原料におけるＮＢＫＰ配合率が３０．０〜８０．０％、特に５０．０〜７０．０であるものが好適である。
【００２２】
他方、薬液のｐＨは５．０〜６．０の弱酸性とされるが、より好適には５．３〜５．７の弱酸性とされる。かかる薬液は、肌に対して接触させても肌がアルカリ性になることがなく、薬液ｐＨの影響による肌荒れを効果的に防止できる。特に好適なｐＨ範囲は５．３〜５．７である。ｐＨの調整法としては、酸性または塩基性のｐＨ調整剤を薬液に添加することにより行うことができ、薬液が強酸性の場合には水酸化ナトリウム水溶液や水酸化カリウム水溶液を用いることができ、中性・アルカリ性の場合にはクエン酸やリンゴ酸、乳酸を用いることができる。
【００２３】
本発明における薬液の成分としては、柔軟剤の他、保湿剤および抗酸化剤を適宜選択して用いることができ、全て含有させるのが特に好ましい。保湿剤としてはグリセリン、プロピレングリコール等の多価アルコール、ソルビトール、グルコース等の糖類、グリコール系溶剤およびその誘導体などを好適に使用できる。これらにより薄葉紙の潤いが十分なものとなる。またこれらとともにコラーゲンを用いることができ、この場合肌に潤いを与える効果も奏せられる。
【００２４】
柔軟剤としてはアニオン系界面活性剤、カチオン系界面活性剤および両性イオン界面活性剤のなかから適宜選択して用いることができ、特にアニオン系界面活性剤が好適である。アニオン系界面活性剤を用いた場合、基材紙のコシ（曲げ剛性）を前述の範囲まで低下させることができ、もって保湿剤による潤い感や柔軟剤による柔らか感を助長することができる。アニオン系界面活性剤としては、カルボン酸塩系、スルホン酸塩系、硫酸エステル塩系、燐酸エステル塩系などを用いることができる。特にアルキル燐酸エステル塩が好ましい。
【００２５】
カチオン界面活性剤としては、第４級アンモニウム塩、アミン塩、またはアミンなどをもちいることができる。また、両性イオン界面活性剤としては、カルボキシ、スルホネート、サルフェートを含有する第２級または第３級アミンの脂肪族誘導体、または複素環式第２級または第３級アミンの脂肪族誘導体などを用いることが出来る。
【００２６】
他方、本発明の薬液に用いる抗酸化剤としては、ビタミンＣ、ビタミンＥ等を用いることができる。この場合、薄葉紙の保湿、皮膚の酸化防止等の効果が発揮される。特にビタミンＣ、Ｅの両方を用いると、ビタミンＣがビタミンＥの助剤として働き、ビタミンＥの抗酸化作用をより長く維持できるようになる。
【００２７】
また、必要に応じてコラーゲンを添加することもでき、この場合肌に潤いを与える保湿効果が発揮されるとともに、薄葉紙に対しても保湿効果が発揮される。コラーゲンの添加量は適宜定めることができるが抗酸化剤と同レベルとするのが費用対効果の上で好ましい。
【００２８】
＜薬液の配合＞
前述の成分を用いる場合の薬液の好適な配合を下記に示す。
・有効成分  ６０〜１００重量％（特に８０〜１００重量％）
保湿剤  ９５．５〜９７．０重量％
柔軟剤  ３．０〜４．５重量％
抗酸化剤  ０．０００００１〜０．００１重量％
・水分  ０〜４０重量％
【００２９】
＜薄葉紙の用途＞
本発明の家庭用薄葉紙は、ティシュペーパーやトイレットペーパー等のように皮膚を擦る用途のものに好適であるが、他の用途にも用いることができる。かかる用途を考えた場合、１プライ当たりの米坪が１０〜３５ｇ／ｍ２とされ、かつ１〜３プライで構成されるとともに、乾燥時の縦方向の引張強さが６０〜１６０Ｎ／ｍ、特に８０〜１４０Ｎ／ｍとされかつ乾燥時の横方向の引張強さが２０〜６０Ｎ／ｍ、特に２５〜４０Ｎ／ｍとされ、かつこれら乾燥時の引張強さの縦横比が１．５：１．０〜５．０：１．０、特に２．０：１．０〜３．５：１．０とされているのが好ましい。特に単に薄葉紙を柔らかくすると紙自体の強度も低下するため、かかる範囲に引張強さを維持するのが好ましい。
【００３０】
【実施例】
表１〜表３に示すように各種ティシュペーパー（本発明に係る実施例、従来品、および市販品Ａ〜Ｄ）について各種物性の測定・算出および官能評価を行った。測定・算出・評価方法を下記に示す。なお、物性の測定はＪＩＳ  Ｐ  ８１１１に規定される条件下で行った。
【００３１】
(1)  米坪（１プライ）の測定：ＪＩＳ  Ｐ  ８１２４
(2)  紙厚（２プライ）の測定：紙厚は、ＪＩＳ  Ｐ  ８１１１の条件下で、尾崎製作所ダイヤルシックネスゲージ「ＰＥＡＣＯＣＫ  Ｇ型」を用いて測定する。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料（ティシュペーパー）を試験台の上におき、プランジャーをゆっくりと下ろしそのときのゲージを読み取る。このとき、プランジャーをのせるだけとする。なお、測定は１枚で行い、１０回の平均値とする。
(3)  密度の算出：米坪×２／（紙厚／１００００×１００×１００）
(4)  薬液含有量：ソックスレー抽出器により、試料約１０ｇを、エタノール・ベンゼン溶剤（容積比１：１）１２０〜１４０ｍｌによる温浴上で抽出液が軽く沸騰を保つ程度に４時間加熱し抽出する。その後、１５０±２℃の恒温乾燥器中に９０分放置し、抽出分の重量を測定し、試料の絶乾燥重量により除してその比率を％で求める。
(5)  紙の単位容積当たりの薬液含有量：薬液含有量＝米坪（１プライ当り）×２（プライ）×薬液含有量（％）×１０００÷（単位面積当りの容積）
ただし、単位面積当りの容積は紙厚（μｍ）÷10000×100×100である。
(6)  吸油度：前掲
(7)  ＮＢＫＰ配合量：ＪＩＳ  Ｐ  ８１２０
(8)  クレープ率：（（製紙時のドライヤーの周速）−（リール周速））／（製紙時のドライヤーの周速）×１００
(9)  引張強さ：ＪＩＳ  Ｐ  ８１１３
(10)  引張強さの縦横比：縦方向引張強さ／横方向引張強さ
(11)  伸び率：縦方向の引張試験における破断時の伸び
(12)  水分率：前掲
(13)  ソフトネス：ハンドルオメーター
(14)  曲げ硬さＢ：純曲げ試験機（カトーテック社製「自動化純曲げ試験機  ＫＥＳＦＢ２−ＡＵＴＯ−Ａ」）。なお曲げ硬さＢが大きいほど曲げ難く固い。
(15)  Ｔ０、Ｔｍ：圧縮試験機（カトーテック社製「ハンディー圧縮試験機  ＫＥＳ−Ｇ５」）。なおＴ０−ＴＭが大きいほど、ふんわりとした紙質であることを示す。
(16)   平均摩擦係数ＭＩＵ、摩擦距離ＭＭＤ：表面特性試験機（カトーテック社製「摩擦感テスター  ＫＥＳＳＥ」）。
(17)  官能評価：鼻を所定回数かんだ際に鼻が痛くなり難いか否か、しっとり感および柔らかさを５段階で評価。男女２０名による平均値。
【００３２】
【表１】
0003610337.tif 000002
【００３３】
【表２】
0003610337.tif 000003
【００３４】
【表３】
0003610337.tif 000004
【００３５】
表１〜表３に示されるように、本発明に係る実施例は、他のものと比較して吸油度が低く油分を吸収し難く、また薬液の含有量が高く水分率が高いことから、官能評価において著しく優秀な結果が得られた。
【００３６】
【発明の効果】
以上のとおり本発明によれば、しっとり感、柔らかさ等の肌触り性に優れるとともに、頻繁に肌と接触させても肌がヒリヒリし難い、肌が赤くなり難い家庭用薄葉紙となる。
【図面の簡単な説明】
【図１】家庭用薄葉紙の機能説明図である。
【図１】
0003610337.tif 000005